(57)【要約】【課題】  必要情報は名刺片に表現でき、多量の関連情報は折畳みシートに表現でき、一組の名刺片によって折畳み状態の折畳みシートを確実に覆え、外観上の体裁が良く、折畳み展開動作が行い易く、折畳み状態がコンパクトとなり、誰にでも取扱い易く、構成簡素で、量産に適し、経済的で、インパクトのある折畳み展開可能な名刺を提供する。【解決手段】  複数のシート片５を谷折り線３や山折り線４を介して縦横に連設すると共に、複数のシート片５が略重合状に折畳み、展開自在となるよう形成した折畳みシート２と、折畳みシート２の対角上にあるシート片５の表面に接着すると共に、シート片５より僅かに大きい一組の名刺片１とからなり、一組の名刺片１の表面には、名刺としての必要情報を印刷し、折畳みシート２の表面や裏面には、会社案内、商品案内、広告等の適宜関連情報を印刷して構成する。【選択図】図１
0003106499.tif 000002
【実用新案登録請求の範囲】
【請求項１】
複数のシート片を谷折り線や山折り線を介して縦横に連設されると共に、複数のシート片が略重合状に折畳み、展開自在となるよう形成される折畳みシートと、この折畳みシートの対角上にあるシート片の表面に接着されると共に、シート片より僅かに大きい一組の名刺片とからなり、一組の名刺片の表面には、名刺としての必要情報を印刷し、折畳みシートの表面や裏面には、会社案内、商品案内、広告等の適宜関連情報を印刷して構成したことを特徴とする折畳み展開可能な名刺。
【考案の詳細な説明】
【技術分野】
【０００１】
本考案は、名刺としての必要情報は勿論のこと、例えば、会社案内や、商品案内や、広告等の多量の関連情報をも表現できるように工夫した折畳み展開可能な名刺に関するものである。
【背景技術】
【０００２】
一般的な名刺は、例えば、その表面や裏面に、会社名、住所、氏名、部署名、役職名、電話番号、ＦＡＸ番号、メールアドレス等の必要情報が印刷されている。
【０００３】
そして、前述のような一枚の名刺では、表現できる情報の量が少ないため、例えば、特許文献１に示すような名刺等が提案されるようになった。
【０００４】
これは、二本の縦方向の折曲線部分で内側に折り畳むことにより名刺サイズの大きさとなる用紙から成り、折曲線の部分で順に折り畳んだときに表紙となる部分の表面に所有者の氏名、所属する会社名等を印刷すると共に、同表紙の側片に人の横顔の形に打ち抜いた打ち抜き部を形成し、他の内側に折り畳まれる部分に会社の営業品目、製品の写真等の会社概要並びに所有者の顔写真の印刷欄を設けた名刺である。
【０００５】
【特許文献１】実用新案登録第３０２２３７９号公報
【考案の開示】
【考案が解決しようとする課題】
【０００６】
ところが、前述の如き従来の名刺にあっては、多量の関連情報を印刷するのが難しい難点や、名刺部分の長辺を幅とする細長い印刷面に限定され、印刷できる関連情報にかなりの制約が生じる難点等があった。
【０００７】
そこで、本考案は、前述の如き課題を解消し、名刺としての必要情報は勿論のこと、会社案内や、商品案内や、広告等の多量の関連情報も表現でき、更に、折畳み状態はコンパクトなり、外観上の体裁も良く、取扱い易く、しかも、構成が簡素で、量産に適し、経済的に優れたインパクトのある折畳み展開可能な名刺を提供できるようにすべく案出されたものである。
【課題を解決するための手段】
【０００８】
しかして、請求項１記載の折畳み展開可能な名刺にあっては、複数のシート片５を谷折り線３や山折り線４を介して縦横に連設されると共に、複数のシート片５が略重合状に折畳み、展開自在となるよう形成される折畳みシート２と、この折畳みシート２の対角上にあるシート片５の表面に接着されると共に、シート片５より僅かに大きい一組の名刺片１とからなり、一組の名刺片１の表面には、名刺としての必要情報を印刷し、折畳みシート２の表面や裏面には、会社案内、商品案内、広告等の適宜関連情報を印刷して構成する手段を採用した。
【考案の効果】
【０００９】
従って、請求項１記載の折畳み展開可能な名刺によれば、名刺としての必要情報は名刺片１に表現でき、会社案内や、商品案内や、広告等の多量の関連情報は折畳みシート２に表現できるようになり、インパクトのある名刺となる。しかも、名刺自体の構成が簡素で、量産に適し、経済的に優れたものとなる。
【００１０】
特に、折畳み状態はコンパクトとなり、一組の名刺片１によって折畳まれた折畳みシート２を確実に覆えるようになり、外観上の体裁が良いものとなる。
加えて、一組の名刺片１によって、折畳みシート２の折畳み展開動作が行い易くなり、誰にでも取扱い易いものとなる。
【考案を実施するための最良の形態】
【００１１】
以下、本考案を図示例に基づいて説明すると、次の通りである。
本考案は、例えば、名刺としての必要情報が表示されている名刺の機能と、会社案内や、商品案内や、広告等の多量の関連情報が表示されているパンフレット等としての機能とを備えた折畳み展開可能な名刺である。
【００１２】
そして、この名刺は、複数の略矩形状（例えば、平行四辺形状、台形状、或いは長方形状）を呈するシート片５を谷折り線３や山折り線４を介して縦横に連設されると共に、複数のシート片５が略重合状に折畳み、展開自在となるよう形成され、且つ展開状態が略矩形状を呈する折畳みシート２と、この折畳みシート２の対角上にあるシート片５の表面に接着されると共に、シート片５より僅かに大きい一組の名刺片１とで構成されている。
【００１３】
更に、一組の名刺片１の表面には、例えば、会社名、住所、氏名、部署名、役職名、電話番号、ＦＡＸ番号、メールアドレス等の名刺としての必要情報を印刷し、折畳みシート２の表面や裏面には、例えば、会社案内、商品案内、広告等の適宜関連情報を印刷してある。すなわち、多量の関連情報を小さく折畳める名刺に付加できるよう構成されたものである。
【実施例】
【００１４】
前記名刺片１は、例えば、適宜紙材や、適宜木製シート材や、適宜合成樹脂製シート材や、適宜金属製シート材や、或いは、これらの複合材等によって、従来からある一般的な名刺の寸法、形状に形成されたものである。
しかも、名刺片１は、折畳み状態としたときの折畳みシート２のカバーも兼ねるので、その強度や、剛性や、耐久性に優れたものが望ましく、特に、折畳みシート２よりも剛性を高めることにより、一組の名刺片１を手指で掴んだ状態での折畳みシート２の展開作業や、折畳み作業等がよりスムーズに行えるようにしてある。
【００１５】
また、一組の名刺片１の表面に印刷される必要情報としては、一組の名刺片１の表面夫々に同じ必要情報を印刷しても良いし、或いは、一方の名刺片１の表面と、他方の名刺片１の表面とで、夫々異なる必要情報を印刷しても良い。
【００１６】
前記折畳みシート２は、例えば、適宜紙材や、適宜合成樹脂製シート材や、或いは、これらの複合材等によって、全体略矩形状（或いは、その他の形状でも良い）に形成され、しかも、この折畳みシート２に複数の谷折り線３と山折り線４とを略縦横方向に沿って適宜配することで、名刺片１より小さい複数のシート片５が形成され、このシート片５夫々が重なるように折畳め、更に、この折畳み状態からスムーズに展開状態に移行できるよう構成されている。
【００１７】
ところで、谷折り線３と山折り線４が設けられている図示例の折畳みシート２は、例えば、頂点及び隣合った２側辺を共有させた状態で略矢羽根状に配置された４個の平行四辺形で構成された基本領域の集合で作られ、矢羽根方向と交差する方向の側辺のうち矢羽根方向に隣合ったものどうしが相反するように且つ矢羽根方向に対し直角な方向に隣合ったものどうしが同方向に山折り（山折り線４）、谷折り（谷折り線３）とされ、矢羽根方向に平行な側辺のうち矢羽根方向に隣合ったものどうし並びに矢羽根方向に直角な方向に隣合ったものどうしが相反するように山折り（山折り線４）、谷折り（谷折り線３）に折畳まれるものである。
【００１８】
尚、本考案の折畳み展開可能な名刺の具体的構成、形状、寸法、材質、名刺片１の具体的構成、形状、寸法、材質、折畳みシート２への配置状態、具体的な接着手段、具体的な関連情報の内容、折畳みシート２の具体的構成、形状、寸法、材質、具体的な折畳み手段、具体的な関連情報の内容、谷折り線３の具体的構成、形状、寸法、配設位置、数、山折り線４の具体的構成、形状、寸法、配設位置、数、シート片５の具体的構成、形状、寸法、材質、配設位置、数等は図示例のもの等に限定されることなく、適宜自由に設定、変更できるものである。
【図面の簡単な説明】
【００１９】
【図１】本考案の折畳み展開可能な名刺を例示する展開図である。
【図２】本考案の折畳み展開可能な名刺を例示する折畳み状態の側面図である。
【符号の説明】
【００２０】
１    名刺片
２    折畳みシート
３    谷折り線
４    山折り線
５    シート片
【図１】
0003106499.tif 000003
【図２】
0003106499.tif 000004